(57)【要約】      （修正有）【課題】ディスプレイへのユーザの手の接近の検出を行う近接センサを、ユーザ操作の受け付けに共用できる「電子機器」を提供する。【解決手段】入力検出部４は、入力検出モードが接近検出モードであるときには、ユーザの手のＹ方向の位置がｙ１まで近づいたとき、接近検出発生をユーザインタフェース制御部５に通知し、入力検出モードが座標検出モードであるときには、ユーザの手のＹ方向の位置がｙ２（ｙ２＜ｙ１）以下に近づいたとき、ユーザの手のＸ座標接近を検出し、検出したＸ座標をユーザインタフェース制御部５に通知する。ユーザインタフェース制御部５は、接近検出発生を通知されたならば、ユーザ操作受け付け用の画面を表示し、座標検出モードを設定し、以降、通知されたＸ座標に基づいてユーザ操作を受け付ける。【選択図】図１
2013218549.tif 000002
【特許請求の範囲】
【請求項１】
ディスプレイと、
前記ディスプレイの表示面近傍に配置された、前記ディスプレイの表示面への物体の接近の度合いと、当該接近した物体の前記ディスプレイの表示面と水平な一方向についての位置とに応じた出力信号を出力する近接センサと、
ユーザインタフェース制御手段とを備え、
当該ユーザインタフェース制御手段は、
動作のモードとして第１のモードと第２のモードとを有し、
前記第１のモードにおいて、前記近接センサの出力信号を用いて、前記ディスプレイの表示面に対するユーザの手の第１の距離内への接近を監視し、当該第１の距離内への接近が発生したならば、前記ディスプレイの表示状態を変化させて、前記第２のモードを設定し、
前記第２のモードにおいて、前記近接センサの出力信号を用いて、前記ディスプレイの表示面に対する距離が前記第１の距離より小さな第２の距離以下となる距離範囲を検出対象範囲として、前記ユーザの手の前記ディスプレイの表示面と水平な方向についての位置を検出し、検出した手の位置または当該位置の変化に応じてユーザ操作を受け付けることを特徴とする電子機器。
【請求項２】
請求項１記載の電子機器であって、
前記第１のモードにおける、前記ディスプレイの初期状態は動作停止状態であり、前記第１のモードにおいて、前記ユーザインタフェース制御部は、前記近接センサを用いて、前記ディスプレイの表示面に対するユーザの手の第１の距離内への接近を検出したときに、前記ディスプレイを起動することを特徴とする電子機器。
【請求項３】
請求項１または２記載の電子機器であって、
前記ユーザインタフェース制御手段は、
前記第１のモードにおいて、前記近接センサの出力信号を用いて、前記ディスプレイの表示面に対するユーザの手の第１の距離内への接近を監視し、当該第１の距離内への接近が発生したならば、前記ディスプレイにユーザ操作受け付け用の画面を表示して前記第２のモードを設定し、
前記第２のモードにおいて、前記近接センサの出力信号を用いて、前記ディスプレイの表示面に対する距離が前記第１の距離より小さな第２の距離以下となる距離範囲を検出対象範囲として、前記ユーザの手の前記ディスプレイの表示面と水平な方向についての位置を検出し、検出した手の位置または当該位置の変化に応じて、前記ユーザ操作受け付け用の画面に対するユーザ操作を受け付けることを特徴とする電子機器。
【請求項４】
請求項１または２記載の電子機器であって、
前記ディスプレイの表示画面の近傍には、前記検出した手の位置または当該位置の変化に応じて受け付けるユーザ操作の内容を表す表示が設けられていることを特徴とする電子機器。
【請求項５】
請求項３記載の電子機器であって、
前記近接センサは、前記ディスプレイの表示面への物体の接近の度合いと、当該接近した物体の前記ディスプレイの表示面の左右方向についての位置とに応じた出力信号を出力し、
前記ユーザインタフェース制御手段は、前記ユーザ操作受け付け用の画面として、ユーザの選択操作受け付け用のボタンを配置した画面を表示すると共に、前記第２のモードにおいて、前記近接センサの出力信号を用いて、前記ユーザの手の前記ディスプレイの表示面の左右方向についての位置を検出し、検出した手の左右方向位置が前記ボタンの左右方向についての表示位置に対応する場合に、当該表示位置が対応するボタンに対するユーザの選択操作を受け付けることを特徴とする電子機器。
【請求項６】
請求項３記載の電子機器であって、
前記近接センサは、前記ディスプレイの表示面への物体の接近の度合いと、当該接近した物体の前記ディスプレイの表示面の左右方向についての位置とに応じた出力信号を出力し、
前記ユーザインタフェース制御手段は、前記ユーザ操作受け付け用の画面として、ユーザのなぞり操作受け付け用のオブジェクトを配置した画面を表示すると共に、前記第２のモードにおいて、前記近接センサの出力信号を用いて、前記ユーザの手の前記ディスプレイの表示面の左右方向についての位置を検出し、検出した手の左右方向位置が前記オブジェクトの左右方向についての表示範囲内において左右方向に変化した場合に、当該オブジェクトに対するユーザのなぞり操作を受け付けることを特徴とする電子機器。
【請求項７】
請求項１、２、３、４、５または６記載の電子機器であって、
前記ユーザインタフェース制御部は、前記第２のモードにおいて、前記近接センサの感度を前記第１のモードにおける感度よりも低く設定することを特徴とする電子機器。
【請求項８】
請求項１、２、３、４、５、６または７記載の電子機器であって、
前記近接センサは、赤外光センサであることを特徴とする電子機器。
【請求項９】
請求項１、２、３、４、５、６または７記載の電子機器であって、
前記近接センサは、超音波センサであることを特徴とする電子機器。
【請求項１０】
請求項１、２、３、４、５、６または７記載の電子機器であって、
前記近接センサは、電磁波センサであることを特徴とする電子機器。
【請求項１１】
請求項１、２、３、４、５、６または７記載の電子機器であって、
前記近接センサは、前記ディスプレイの表示面と水平な方向について離間して配置された複数の赤外ＬＥＤと、当該ＬＥＤから照射された赤外光の反射光を検出するフォトセンサとを含んで構成され、
前記第２のモードにおいて、前記ユーザインタフェース制御手段は、前記近接センサの出力信号を用いて、前記ユーザの手の前記ディスプレイの表示面の左右方向についての位置を検出することを特徴とする電子機器。
【請求項１２】
請求項１１記載の電子機器であって、
前記近接センサは、前記ディスプレイの表示面の四隅の近傍に配置された４つの赤外ＬＥＤと、当該ＬＥＤから照射された赤外光の反射光を検出するフォトセンサとを含んで構成され、
前記第２のモードにおいて、前記ユーザインタフェース制御手段は、前記近接センサの出力信号を用いて、前記ユーザの手の前記ディスプレイの表示面の左右方向および上下方向についての位置を検出することを特徴とする電子機器。
【請求項１３】
請求項１、２、３、４、５、６、７、８、９、１０、１１または１２記載の電子機器であって、
前記ディスプレイの表示面上に配置されたタッチパネルを備え、
前記ユーザインタフェース制御部は、前記タッチパネルに対するユーザのタッチ操作に応じてユーザ操作を受け付けることを特徴とする電子機器。
【請求項１４】
ディスプレイと、前記ディスプレイの表示面近傍に配置された、前記ディスプレイの表示面への物体の接近の度合いと、当該接近した物体の前記ディスプレイの表示面と水平な一方向についての位置とに応じた出力信号を出力する近接センサとを備えた電子機器において、ユーザインタフェースを制御するユーザインタフェース制御方法であって、
前記電子機器が、前記近接センサの出力信号を用いて、前記ディスプレイの表示面に対するユーザの手の第１の距離内への接近を監視し、当該第１の距離内への接近の発生を検出するステップと、
前記電子機器が、前記第１の距離内への接近の発生が検出されたならば、前記ディスプレイの表示状態を変化させるステップと、
前記電子機器が、前記第１の距離内への接近の発生が検出されたならば、前記近接センサの出力信号を用いて、前記ディスプレイの表示面に対する距離が前記第１の距離より小さな第２の距離以下となる距離範囲を検出対象範囲として、前記ユーザの手の前記ディスプレイの表示面と水平な方向についての位置を検出し、検出した手の位置または当該位置の変化に応じてユーザ操作を受け付ける処理を開始するステップとを有することを特徴とするユーザインタフェース制御方法。
【請求項１５】
ディスプレイと、前記ディスプレイの表示面近傍に配置された、前記ディスプレイの表示面への物体の接近の度合いと、当該接近した物体の前記ディスプレイの表示面と水平な一方向についての位置とに応じた出力信号を出力する近接センサとを備えたコンピュータによって読み取られ実行されるコンピュータプログラムであって、
前記コンピュータに、
前記近接センサの出力信号を用いて、前記ディスプレイの表示面に対するユーザの手の第１の距離内への接近を監視し、当該第１の距離内への接近の発生を検出するステップと、
前記第１の距離内への接近の発生が検出されたならば、前記ディスプレイの表示状態を変化させるステップと、
前記第１の距離内への接近の発生が検出されたならば、前記近接センサの出力信号を用いて、前記ディスプレイの表示面に対する距離が前記第１の距離より小さな第２の距離以下となる距離範囲を検出対象範囲として、前記ユーザの手の前記ディスプレイの表示面と水平な方向についての位置を検出し、検出した手の位置または当該位置の変化に応じてユーザ操作を受け付ける処理を開始するステップとを実行させることを特徴とするコンピュータプログラム。
【発明の詳細な説明】
【技術分野】
【０００１】
本発明は、ディスプレイを備えた電子機器のユーザインタフェースを制御する技術に関するものである。
【背景技術】
【０００２】
ディスプレイを備えた電子機器のユーザインタフェースを制御する技術としては、ディスプレイと共にタッチパネルと近接センサとを設け、近接センサによってディスプレイへのユーザの手の接近が検出されたときにディスプレイの表示内容をユーザ操作受け付け用の画面に切り替え、以降、タッチパネルを用いたユーザの当該画面に対する操作を受け付ける技術が知られている（特許文献１）。
【先行技術文献】
【特許文献】
【０００３】
【特許文献１】特開2009-216888号公報
【発明の概要】
【発明が解決しようとする課題】
【０００４】
上述したタッチパネルと近接センサとをディスプレイとを備える技術によれば、近接センサはディスプレイへのユーザの手の接近の検出にのみ用いられているため、ユーザ操作の受け付けに、近接センサ以外のタッチパネル等の入力装置を必ず備える必要がある。一方で、近接センサを、様々なユーザ操作の受け付けにも用いることができれば、より多様なユーザインタフェースの提供が可能となる。
【０００５】
そこで、本発明は、ディスプレイへのユーザの手の接近の検出を行う近接センサを、ユーザ操作の受け付けに共用することができる電子機器を提供することを課題とする。
【課題を解決するための手段】
【０００６】
前記課題達成のために、本発明は、ディスプレイと、前記ディスプレイの表示面近傍に配置された、前記ディスプレイの表示面への物体の接近の度合いと、当該接近した物体の前記ディスプレイの表示面と水平な一方向についての位置とに応じた出力信号を出力する近接センサと、ユーザインタフェース制御手段とを備えた電子機器を提供する。ただし、ユーザインタフェース制御手段は、動作のモードとして第１のモードと第２のモードとを有し、前記第１のモードにおいて、前記近接センサの出力信号を用いて、前記ディスプレイの表示面に対するユーザの手の第１の距離内への接近を監視し、当該第１の距離内への接近が発生したならば、前記ディスプレイの表示状態を変化させて、前記第２のモードを設定し、前記第２のモードにおいて、前記近接センサの出力信号を用いて、前記ディスプレイの表示面に対する距離が前記第１の距離より小さな第２の距離以下となる距離範囲を検出対象範囲として、前記ユーザの手の前記ディスプレイの表示面と水平な方向についての位置を検出し、検出した手の位置または当該位置の変化に応じてユーザ操作を受け付けるものである。
【０００７】
ここで、このような電子機器は、前記第１のモードにおける、前記ディスプレイの初期状態は動作停止状態とし、前記第１のモードにおいて、前記ユーザインタフェース制御部が、前記近接センサを用いて、前記ディスプレイの表示面に対するユーザの手の第１の距離内への接近を検出したときに、前記ディスプレイを起動するように構成してもよい。
【０００８】
また、このような電子機器は、前記ユーザインタフェース制御手段において、前記第１のモードにおいて、前記近接センサの出力信号を用いて、前記ディスプレイの表示面に対するユーザの手の第１の距離内への接近を監視し、当該第１の距離内への接近が発生したならば、前記ディスプレイにユーザ操作受け付け用の画面を表示して前記第２のモードを設定し、前記第２のモードにおいて、前記近接センサの出力信号を用いて、前記ディスプレイの表示面に対する距離が前記第１の距離より小さな第２の距離以下となる距離範囲を検出対象範囲として、前記ユーザの手の前記ディスプレイの表示面と水平な方向についての位置を検出し、検出した手の位置または当該位置の変化に応じて、前記ユーザ操作受け付け用の画面に対するユーザ操作を受け付けるように構成してもよい。
【０００９】
また、このようにユーザ操作受け付け用の画面を表示する場合には、前記近接センサを、前記ディスプレイの表示面への物体の接近の度合いと、当該接近した物体の前記ディスプレイの表示面の左右方向についての位置とに応じた出力信号を出力するものとし、前記ユーザインタフェース制御手段において、前記ユーザ操作受け付け用の画面として、ユーザの選択操作受け付け用のボタンを配置した画面を表示すると共に、前記第２のモードにおいて、前記近接センサの出力信号を用いて、前記ユーザの手の前記ディスプレイの表示面の左右方向についての位置を検出し、検出した手の左右方向位置が前記ボタンの左右方向についての表示位置に対応する場合に、当該表示位置が対応するボタンに対するユーザの選択操作を受け付けるように構成してもよい。
【００１０】
または、このようにユーザ操作受け付け用の画面を表示する場合には、前記近接センサを、前記ディスプレイの表示面への物体の接近の度合いと、当該接近した物体の前記ディスプレイの表示面の左右方向についての位置とに応じた出力信号を出力するものとし、前記ユーザインタフェース制御手段において、前記ユーザ操作受け付け用の画面として、ユーザのなぞり操作受け付け用のオブジェクトを配置した画面を表示すると共に、前記第２のモードにおいて、前記近接センサの出力信号を用いて、前記ユーザの手の前記ディスプレイの表示面の左右方向についての位置を検出し、検出した手の左右方向位置が前記オブジェクトの左右方向についての表示範囲内において左右方向に変化した場合に、当該オブジェクトに対するユーザのなぞり操作を受け付けるように構成してもよい。
【００１１】
また、以上のような電子機器は、前記ディスプレイの表示画面の近傍に、前記検出した手の位置または当該位置の変化に応じて受け付けるユーザ操作の内容を表す表示を設けるようにいてもよい。
また、このような電子機器は、前記ユーザインタフェース制御部を、前記第２のモードにおいて、前記近接センサの感度を前記第１のモードにおける感度よりも低く設定するように構成してもよい。
なお、このような電子機器において、前記近接センサとしては、赤外光センサ、超音波センサ、電磁波センサなどを用いることができる。
たとえば、以上の電子機器に、前記近接センサとして、前記ディスプレイの表示面と水平な方向について離間して配置された複数の赤外ＬＥＤと、当該ＬＥＤから照射された赤外光の反射光を検出するフォトセンサとを含んで構成されるものを用い、前記第２のモードにおいて、前記ユーザインタフェース制御手段が、前記近接センサの出力信号を用いて、前記ユーザの手の前記ディスプレイの表示面の左右方向についての位置を検出するようにすることができる。
【００１２】
または、以上の電子機器に、前記近接センサとして、前記ディスプレイの表示面の四隅の近傍に配置された４つの赤外ＬＥＤと、当該ＬＥＤから照射された赤外光の反射光を検出するフォトセンサとを含んで構成されるものを用い、前記第２のモードにおいて、前記ユーザインタフェース制御手段が、前記近接センサの出力信号を用いて、前記ユーザの手の前記ディスプレイの表示面の左右方向および上下方向についての位置を検出するように構成することができる。
【００１３】
なお、以上の電子機器に、さらに、前記ディスプレイの表示面上に配置されたタッチパネルを備え、前記ユーザインタフェース制御部は、前記タッチパネルに対するユーザのタッチ操作に応じても、ユーザ操作を受け付けるように構成してもよい。
これらのような電子機器によれば、近接センサをディスプレイへのユーザの手の接近の検出に加え、ユーザ操作の受け付けにも共用することができるので、近接センサ以外のタッチパネル等の入力装置を必ずしも設ける必要はない。また、近接センサを用いた、より多様なユーザインタフェースの提供が可能となる。
【発明の効果】
【００１４】
以上のように、本発明によれば、ディスプレイへのユーザの手の接近の検出を行う近接センサを、ユーザ操作の受け付けに共用することができる。
【図面の簡単な説明】
【００１５】
【図１】本発明の実施形態に係る電子機器の構成を示すブロック図である。
【図２】本発明の実施形態に係るユーザインタフェース制御処理を示すフローチャートである。
【図３】本発明の実施形態に係る近接センサの使用法を示す図である。
【図４】本発明の実施形態に係るユーザ操作の受け付け例を示す図である。
【発明を実施するための形態】
【００１６】
以下、本発明の実施形態について説明する。
図１ａに、本実施形態に係る電子機器の構成を示す。
図示するように、電子機器は、ディスプレイ１、表示制御装置２、近接センサ３、入力検出部４、ユーザインタフェース制御部５、情報処理部６とを備えている。
ここで、近接センサ３は、物体の接近を検出するセンサであり、たとえば、図１ｂに示すように、４つの赤外ＬＥＤ３１と、赤外光用のフォトセンサ３２、フォトセンサ３２とより構成する。
ここで、４つの赤外ＬＥＤ３１は、ディスプレイ１の表示面のすぐ下の位置に、横方向に等間隔で４つ並べて配置される。また、フォトセンサ３２は、ディスプレイ１の表示面のすぐ下の位置に、左右方向位置がディスプレイ１の表示面の左右方向の中央位置と一致するように配置されている。
【００１７】
次に、入力検出部４は、近接センサ３の駆動及び近接センサ３の出力からの検出処理を行う。この駆動及び検出処理の内容については後述する。
そして、ユーザインタフェース制御部５は、表示制御装置２と入力検出部４を制御して、近接センサ３を入力に、ディスプレイ１を表示に用いたユーザインタフェースを情報処理部６に提供する処理を行う。
情報処理部６は、たとえば、電子機器が車載の電子機器である場合には、メディア再生やナビゲーション処理や空調制御処理などの情報処理を行うものであり、ユーザとの間の入出力に、ユーザインタフェース制御部５によって提供されるユーザインタフェースを用いながら行う。
【００１８】
ただし、電子機器は、ＣＰＵやメモリなどを備えたコンピュータを用いて構成するようにしてもよく、この場合、ユーザインタフェース制御部５や情報処理部６は、コンピュータが所定のプログラムを実行することにより、その機能が実現されるものとしてもよい。
ここで、このようなユーザインタフェースの情報処理部６への提供のために、ユーザインタフェース制御部５が行うユーザインタフェース制御処理の手順を図２に示す。
ユーザインタフェース制御処理は、電源が投入された電子機器が起動されたときに開始される処理である。なお、電子機器の起動時には、ディスプレイ１の起動（ディスプレイ１の電源オン）は行われない。
図示するように、ユーザインタフェース制御部５は、まず、入力検出部４の入力検出モードを接近検出モードに設定する（ステップ２０２）。
ここで、入力検出モードが接近検出モードに設定されているときの入力検出部４の動作について説明する。
いま、図３ａに示すように、４つの赤外ＬＥＤ３１を左のものよりＳ1、Ｓ２、Ｓ３、Ｓ４で表すものとし、ディスプレイ１の左角を原点とし、ディスプレイ１の左右方向をＸ方向とするＸ座標上で、Ｓ1、Ｓ２、Ｓ３、Ｓ４の座標がｘ1、ｘ２、ｘ３、ｘ４であるものとする。
【００１９】
また、図３ｂに示すように、ディスプレイ１の表示面を原点とし、ディスプレイ１の前後方向をＹ方向とするＹ座標を設定し、ディスプレイ１の表示面からユーザの手までの距離をＤとするものとする。
そして、入力検出部４は、入力検出モードが接近検出モードであるときには、ユーザの手のＹ方向の位置がｙ１（ｙ１はたとえば10cm）まで近づいたとき、すなわち、Ｄがｙ１以下となったときにユーザの接近を検出し、接近検出発生をユーザインタフェース制御部５に通知する。
【００２０】
すなわち、入力検出部４は、入力検出モードが接近検出モードであるときには、近接センサ３の感度を、図３ｃＭ１に示す特性に設定する。図３ｃは、ユーザの手が、ディスプレイ１の表示面の下端付近前方にあり、かつ、いずれか一つの赤外ＬＥＤ３１を点灯した状態で、フォトセンサ３２で検出した赤外光強度を入力検出部４が備えるアンプで増幅した信号強度Ｆと、ユーザの手までの距離Ｄとの関係を表したものであり、図中のＦＭ１が、近接センサ３の感度をＭ１に示す特性に設定したときの、ユーザの手までの距離Ｄが、ｙ１であるときの信号強度Ｆを表している。また、この近接センサ３の感度設定において、信号強度Ｆは、Ｄ＞ｙmx(但し、ｙmx＞ｙ１)の領域で、値Ｍａｘ（但し、Ｍａｘ＞ＦＭ１）で飽和してしまい、ｙmxよりもユーザの手がディスプレイ１に近づいても値が変化しないものとする。
【００２１】
ここで、感度の設定は、たとえば、赤外ＬＥＤ３１の発光強度やフォトセンサ３２で検出した赤外光強度を増幅するアンプの増幅率を変更することにより行うことができる。
ここで、図３ｃＭ１に示す特性に近接センサ３の感度が設定されており、ディスプレイ１の表示面の下端付近前方にあるユーザの手までの距離Ｄがｙ１であるときの、ユーザの手のＸ座標と、信号強度Ｆとの関係を図３ｄに示す。なお、図３ｄ中のＦＳｎは、赤外ＬＥＤ３１のＳｎのみを点灯させているときに得られる信号強度Ｆを表している。
【００２２】
図示するように、この場合、ユーザの手のＸ座標や、点灯させている赤外ＬＥＤ３１に関わらず、信号強度Ｆはある値Ｔｈ（但し、Ｔｈ＜ＦＭ１）以上となる。
そこで、入力検出部４は、４つの赤外ＬＥＤ３１をひとつずつ順次、短時間、循環的に点灯させながら、赤外ＬＥＤ３１を点灯している期間中にフォトセンサ３２で検出された赤外光強度をアンプで増幅した信号強度ＦがＴｈ以上となる期間が所定期間（たとえば、0.5秒）以上継続したならば、ユーザの接近を検出し、接近検出発生をユーザインタフェース制御部５に通知する。
【００２３】
さて、図２に戻り、ユーザインタフェース制御部５は、入力検出部４から接近検出発生が通知されたならば（ステップ２０４）、ディスプレイ１を起動する（ディスプレイ１の電源をオンにする）（ステップ２０６）。
そして、情報処理部６より表示を要求された画面の表示制御装置２を介したディスプレイ１への表示を開始する（ステップ２０８）。
また、次に、入力検出部４の入力検出モードを座標検出モードに設定する（ステップ２１０）。
ここで、入力検出モードが座標検出モードに設定されているときの入力検出部４の動作について説明する。
入力検出部４は、入力検出モードが座標検出モードであるときには、ユーザの手のＹ方向の位置がｙ２（ｙ２はたとえば3cm）以下に近づいたとき、すなわち、Ｄがｙ２以下となったときに、ユーザの手のＸ座標接近を検出し、検出したＸ座標をユーザインタフェース制御部５に通知する。
【００２４】
すなわち、入力検出部４は、入力検出モードが接近検出モードであるときには、近接センサ３の感度を低め、図３ｃＭ２に示す特性となるように設定する。ここで、図中のＦＭ２は、近接センサ３の感度をＭ２に示す特性に設定したときの、ユーザの手までの距離Ｄが、ｙ２である場合の信号強度Ｆを表している。また、ユーザの手までの距離Ｄが０、すなわち、ユーザの手の指がディスプレイ１の表示面に接触しても、信号強度Ｆが飽和することのないように、この近接センサ３の感度は設定されている。
【００２５】
ここで、図３ｃＭ２に示す特性に近接センサ３の感度が設定されており、ディスプレイ１の表示面の下端付近前方にあるユーザの手までの距離Ｄがｙ２であるときの、ユーザの手のＸ座標と、信号強度Ｆとの関係を図３ｅに示す。なお、図３ｅ中のＦＳｎは、赤外ＬＥＤ３１のＳｎのみを点灯させているときに得られる信号強度Ｆを表している。
【００２６】
図示するように、この場合、各赤外ＬＥＤ３１を点灯させているときに得られる信号強度Ｆは、ユーザの手のＸ座標によって異なるものとなる。
そこで、入力検出部４は、４つの赤外ＬＥＤ３１をひとつずつ順次、短時間、循環的に点灯させながら、赤外ＬＥＤ３１を点灯している期間中にフォトセンサ３２で検出された赤外光強度をアンプで増幅した信号強度Ｆの組み合わせより、ユーザの手のＸ座標を算出し、ユーザインタフェース制御部５に通知する。ただし、入力検出部４は、簡易的に、一定の期間中において、ＦＭ２より幾分小さな値に設定したＴｈ２を超える最大の信号強度Ｆが得られたときに点灯していた赤外ＬＥＤ３１のＸ座標（ｘ１-ｘ４のいずれか）を、ユーザの手のＸ座標として出力するようにしてもよい。
【００２７】
なお、入力検出モードが接近検出モードであるときに、近接センサ３の感度を低め、図３ｃＭ２に示す特性となるように設定するのは、近接センサ３の感度が図３ｃＭ１に示す飽和領域を持つもののままとした場合には、図３ｆに、図３ｃＭ１に示す特性に近接センサ３の感度が設定されており、ディスプレイ１の表示面の下端付近前方にあるユーザの手までの距離Ｄがｙ２であるときの、ユーザの手のＸ座標と、信号強度Ｆとの関係を示すように、信号強度Ｆの飽和のために、必ずしも、各赤外ＬＥＤ３１を点灯させているときに得られる信号強度Ｆは、ユーザの手のＸ座標によって異なるものとならず、ユーザの手のＸ座標の算出に支障をきたすためである。
【００２８】
さて、図２に戻り、以降は、スタンバイモードへの移行が発生するまで（ステップ２１４）、入力検出部４で検出された座標からのユーザ操作の検出及び検出したユーザ操作の情報処理部６の通知を行う（ステップ２１２）。なお、スタンバイモードへの移行は、たとえば、ユーザからのスタンバイモードへの移行指示の発生、電子機器に対する所定期間以上の操作入力無し、情報処理部６からのスタンバイモードへの移行指示の発生などによって発生するように構成することができる。
【００２９】
ここで、ユーザインタフェース制御部５が検出するユーザ操作の例を図４に示す。
図４ａは、情報処理部６がディスプレイ１に表示している画面が、ユーザの選択操作を受け付けるための複数のボタン４０１を含む場合の例を示しており、この場合、図示するように、ユーザはボタン４０１またはその下方の領域に指を位置づけることによってボタン４０１の選択を行い、ユーザインタフェース制御部５は、入力検出部４で検出される座標が、所定期間（例えば、0.3秒）以上、いずれかのボタン４０１の表示領域のＸ座標範囲内の座標であることが継続した場合に、そのボタン４０１の選択操作発生を検出し情報処理部６に通知する。
【００３０】
なお、各ボタン４０１とボタン４０１の表示領域のＸ座標範囲は、予め、当該画面の表示開始時に、情報処理部６からユーザインタフェース制御部５に通知されている。
また、図４ｂは、情報処理部６がディスプレイ１に表示している画面が、ユーザのなぞり操作を受け付けるためのなぞりオブジェクト４０２を含む場合の例を示しており、この場合、ユーザは、図示するように、なぞりオブジェクト４０２またはその下方の領域を指で左右になぞることによりなぞり操作（図示した例ではボリュームの増減操作）を行い、ユーザインタフェース制御部５は、入力検出部４で検出された座標が示す位置が、なぞりオブジェクト４０２の表示領域のＸ座標範囲内を左右のいずれか方向に逐次的に移動した場合に、ユーザのなぞりオブジェクト４０２のなぞり操作の発生を検出し、移動量と、移動方向と共に情報処理部６に通知する。
【００３１】
なお、なぞりオブジェクト４０２となぞりオブジェクト４０２の表示領域のＸ座標範囲は、予め、当該画面の表示開始時に、情報処理部６からユーザインタフェース制御部５に通知されている。
さて、図２に戻り、スタンバイモードへの移行が発生したならば（ステップ２１４）、ディスプレイ１の電源をオフに設定し（ステップ２１６）、ステップ２０２からの処理に戻る。
以上、ユーザインタフェース制御部５が行うユーザインタフェース制御処理について説明した。
以上、本発明の実施形態について説明した。
以上のように、本実施形態によれば、近接センサ３をディスプレイ１へのユーザの手の接近の検出に加え、ユーザ操作の受け付けにも共用することができるので、近接センサ３以外のタッチパネル等の入力装置を必ずしも設ける必要はない。また、近接センサ３を用いた、より多様なユーザインタフェースの提供が可能となる。
【００３２】
ところで、以上の実施形態では、近接センサ３として、図１ｂに示すように、ディスプレイ１の表示面のすぐ下に配置した赤外ＬＥＤ３１とフォトセンサ３２とを設けた場合を例にとり説明したが、近接センサ３として用いる赤外ＬＥＤ３１やフォトセンサ３２の数や配置は、他の例によってもよい。すなわち、たとえば、図１ｃに示すように４つの赤外ＬＥＤ３１をディスプレイ１の表示面の四隅の近傍に配置すると共にフォトセンサ３２を表示面の上下に配置するなどしてもよい。なお、図１ｃの配置によれば、座標検出モードにおいて、近接センサ３から左右上下の二次元の座標を検出することができるようになる。
【００３３】
また、以上の実施形態では、赤外線を用いて接近を検出する近接センサ３を用いたが、近接センサ３としては、超音波を用いて接近を検出する近接センサ３、電磁波を用いて接近を検出する近接センサ３などの、感度調整が容易で、感度によって接近を検出可能な最大距離を10cm程度から、数cm程度まで調整可能な各種近接センサを同様に用いることができる。
【００３４】
また、以上の実施形態におけるユーザインタフェース制御処理では、電子機器の起動時には、ディスプレイ１の起動（ディスプレイ１の電源オン）は行わず、入力検出部４から接近検出発生が通知された時点で（ステップ２０４）、ディスプレイ１を起動し（ステップ２０６）、情報処理部６より表示を要求された画面の表示制御装置２を介したディスプレイ１への表示を開始する（ステップ２０８）ようにしたが、これは、以下の処理に置き換えるようにしてもよい。
【００３５】
すなわち、電子機器の起動時に、ディスプレイ１を起動し、情報処理部６より表示を要求された画面の表示制御装置２を介したディスプレイ１への表示を開始する。一方、情報処理部６は、電子機器が起動したならば、ユーザインタフェース制御部５を介して、情報処理部６が処理している所定情報をユーザに提示するための画面、もしくは、スタンバイ状態にあることを示す画面、もしくは、ブラックアウトした画面である非操作受け付け時画面をディスプレイ１に表示する。そして、ユーザインタフェース制御処理では、入力検出部４から接近検出発生が通知されたならば（ステップ２０４）、ステップ２０６、２０８の処理に代えて、接近検出発生を情報処理部６に通知する処理を行うようにする。一方、この通知を受けた情報処理部６は、ディスプレイ１に表示する画面を、上記ボタン４０１などを含むユーザ操作受け付け用の画面に変更するようにする。また、ユーザインタフェース制御処理では、スタンバイモードへの移行が発生したならば（ステップ２１４）、ステップ２１６の処理は行わずに、そのままステップ２０２に戻るようにする。一方、情報処理部６は、スタンバイモードへの移行が発生したならば、ディスプレイ１に表示する画面を、ユーザ操作受け付け用の画面から、上記非操作受け付け時画面に復帰する。
【００３６】
また、以上の実施形態は、近接センサ３を用いて受け付けるユーザ操作を単一の操作に固定的に定める場合には、接近検出発生を通知された情報処理部６において、ディスプレイ１に表示する画面を、上記ボタン４０１などを含むユーザ操作受け付け用の画面とする必要はない。この場合、ユーザインタフェース制御処理のステップ２１２では、入力検出部４で検出された座標からの、上記固定的に定めたユーザ操作の検出及び検出したユーザ操作の情報処理部６の通知を行うようにする。また、この場合には、図４ｃ、ｄに示すように、ディスプレイ１の表示画面の近傍に、近接センサ３を用いて受け付けるユーザ操作の内容（図４ｃの例では楽曲の再生動作の制御、図４ｄの例ではボリュームの増減）を表す表示４０３を印刷やラベルや凹凸により表すようにしてもよい。
【００３７】
また、以上の実施形態は、近接センサ３と共に、ディスプレイ１の表示面上に配置したタッチパネルなどの他の入力装置を電子機器に備え、ユーザインタフェース制御部５において、近接センサ３と当該他の入力装置をユーザ操作の受け付けに併用するようにしてもよい。
【符号の説明】
【００３８】
１…ディスプレイ、２…表示制御装置、３…近接センサ、４…入力検出部、５…ユーザインタフェース制御部、６…情報処理部、３１…赤外ＬＥＤ、３２…フォトセンサ。
【図１】
2013218549.tif 000003
【図２】
2013218549.tif 000004
【図３】
2013218549.tif 000005
【図４】
2013218549.tif 000006